(57)【要約】【課題】大入賞口への遊技球の入賞を阻止したり許可したりするための可動体と、透明窓との間に遊技球が挟まらないようにすることができるパチンコ機を提供すること。【解決手段】前面に遊技領域１１を有する遊技盤１０と、遊技領域１１を前方から覆って位置する透明窓４ａと、遊技領域１１内で前方に向かって開口した大入賞口２１と、遊技盤１０と透明窓４ａの間に位置し、上下方向に屈曲自在となるよう大入賞口２１の左右両側方において支持された可動体２２とを備えている。可動体２２は、上方向に屈曲した山形（実線）を成すことにより大入賞口２１の上方において大入賞口２１の上方から大入賞口２１への遊技球の入賞を阻止し、下方向に屈曲した谷形（２点鎖線）を成すことにより大入賞口２１の上方から大入賞口２１への遊技球の入賞を許可する。これにより可動体２２と透明窓４ａとの間隔を変化させずに入賞の阻止と許可とを行える。【選択図】図３
2010227497.tif 000002
【特許請求の範囲】
【請求項１】
前面に遊技領域を有する遊技盤と、
前記遊技領域を前方から覆って位置する透明窓と、
前記遊技領域内において前方に向かって開口した大入賞口と、
前記遊技盤と前記透明窓の間に位置し、相反する２方向に屈曲自在な可動体と、
を備え、
前記可動体が前記２方向として上下方向に屈曲自在となるよう前記可動体の両端部は前記大入賞口の左右両側方において支持されていて、
前記可動体は、上方向に屈曲した山形を成すことにより前記大入賞口の前方の上側の領域、または前記大入賞口の上方において前記大入賞口の上方から前記大入賞口への遊技球の入賞を阻止し、下方向に屈曲した谷形を成すことにより前記大入賞口の上方から前記大入賞口への遊技球の入賞を許可する
ことを特徴とするパチンコ機。
【請求項２】
請求項１に記載の発明において、
前記可動体は、第１板部材と、第２板部材と、これら第１，第２板部材を結合しているヒンジ部とを有し、そのヒンジ部において屈曲するものであって、
前記ヒンジ部側とは反対側に位置する前記第１板部材の端部は前記可動体の両端部のうちの一端部であり、前記ヒンジ部側とは反対側に位置する前記第２板部材の端部は前記可動体の両端部のうちの他端部であり、
前記一端部および前記他端部はいずれも前記遊技盤に対し回動自在に支持されていて、
前記一端部および前記他端部の少なくとも一方は、前記遊技盤に対し左右方向にスライド自在に支持されている
ことを特徴とするパチンコ機。
【請求項３】
請求項２に記載の発明において、
前記スライド自在に支持されている端部を、左方向および右方向のうち前記大入賞口に近づく方向に付勢する付勢手段が設けられた
ことを特徴とするパチンコ機。
【発明の詳細な説明】
【技術分野】
【０００１】
本発明は、大入賞口を有するパチンコ機に関する。
【背景技術】
【０００２】
パチンコ機は、前面に遊技領域を有する遊技盤を備えている。この遊技盤には、遊技領域内で前方に向かって開口した大入賞口への遊技球の入賞を阻止したり許可したりする大入賞口装置が設けられている。パチンコ機は、通常ゲーム時にはその大入賞口への遊技球の入賞を阻止し、大当り発生時に入賞を許可し、大入賞口に遊技球が入賞すると多数の賞球を受皿に排出するよう設定されている。
【０００３】
大入賞口への遊技球の入賞の阻止と許可は、開閉扉により行われるものが一般的である。この開閉扉は下部を支点に前後方向に回動自在な可動体である。この開閉扉の姿勢は大入賞口を塞いだ閉姿勢と、この閉姿勢から前方向に所定角度回動した開姿勢とに制御される。開姿勢を成した開閉扉は、大入賞口を開放するとともに、遊技球を受け止めて大入賞口に誘導する。（特許文献１参照）
【先行技術文献】
【特許文献】
【０００４】
【特許文献１】特開２００６−２３９１６１号公報
【発明の概要】
【発明が解決しようとする課題】
【０００５】
ところで、遊技領域は前方から透明窓によって覆われている。この透明窓と前述の開閉扉の上端部との間隔は、開閉扉が閉姿勢を成したときよりも開姿勢を成したときの方が小さくなる。その間隔は、開閉扉が閉姿勢を成したときに遊技球の直径よりも大きくなり、開姿勢を成したときに遊技球の直径よりも小さくなる。このため、開閉扉の姿勢が閉姿勢から開姿勢に変化する途中で、開閉扉と透明板との間に遊技球が挟まって大入賞口の開放が阻害され、遊技者に与えられるべき大入賞口への遊技球の入賞の機会が不完全になってしまうという問題が生じる。
【０００６】
なお、前述の問題を解決するための対策として、透明窓と開閉扉との間隔が大きくなるよう透明窓を開閉扉から遠ざけて配置する設計変更を行えばよいと考えるかもしれない。しかし、透明窓には遊技盤に打ち付けられた遊技釘よりも前方に遊技球が飛散するのを防止する機能を持たせることが好ましく、さらに開閉扉の開姿勢は遊技球を受け止めやすい姿勢であることが好ましいため、その対策は採用しにくい。
【０００７】
本発明は前述の事情を考慮してなされたものであり、その目的は、大入賞口への遊技球の入賞を阻止したり許可したりするための可動体と、透明窓との間に遊技球が挟まらないようにすることができるパチンコ機を提供することにある。
【課題を解決するための手段】
【０００８】
前述の目的を達成するために本発明は次のように構成されている。
【０００９】
〔１〕  本発明は、前面に遊技領域を有する遊技盤と、前記遊技領域を前方から覆って位置する透明窓と、前記遊技領域内において前方に向かって開口した大入賞口と、前記遊技盤と前記透明窓の間に位置し、相反する２方向に屈曲自在な可動体と、を備え、前記可動体が前記２方向として上下方向に屈曲自在となるよう前記可動体の両端部は前記大入賞口の左右両側方において支持されていて、前記可動体は、上方向に屈曲した山形を成すことにより前記大入賞口の前方の上側の領域、または前記大入賞口の上方において前記大入賞口の上方から前記大入賞口への遊技球の入賞を阻止し、下方向に屈曲した谷形を成すことにより前記大入賞口の上方から前記大入賞口への遊技球の入賞を許可することを特徴とする。
【００１０】
この「〔１〕」に記載の本発明において、可動体は遊技盤と透明窓との間で上下方向に屈曲することによって大入賞口への遊技球の入賞を阻止したり許可したりするので、可動体が大入賞口への遊技球の入賞を許可する方向に動作しても、可動体と透明窓との間隔は変化しない。これにより、可動体と透明窓との間に遊技球が挟まらないようにすることができる。
【００１１】
〔２〕  本発明は「〔１〕」に記載の発明において、前記可動体は、第１板部材と、第２板部材と、これら第１，第２板部材を結合しているヒンジ部とを有し、そのヒンジ部において屈曲するものであって、前記ヒンジ部側とは反対側に位置する前記第１板部材の端部は前記可動体の両端部のうちの一端部であり、前記ヒンジ部側とは反対側に位置する前記第２板部材の端部は前記可動体の両端部のうちの他端部であり、前記一端部および前記他端部はいずれも前記遊技盤に対し回動自在に支持されていて、前記一端部および前記他端部の少なくとも一方は、前記遊技盤に対し左右方向にスライド自在に支持されていることを特徴とする。
【００１２】
この「〔２〕」に記載の本発明においては、可動体の両端部（一端部および他端部）を互いに反対方向に回動させつつ、一端部および他端部の少なくとも一方を他方に近づけることにより、可動体を上方向に屈曲させて山形を成させたり、下方向に屈曲させて谷形を成させたりすることができる。
【００１３】
〔３〕  本発明は「〔２〕」に記載の発明において、前記スライド自在に支持されている端部を、左方向および右方向のうち前記大入賞口に近づく方向に付勢する付勢手段が設けられたことを特徴とする。
【００１４】
この「〔３〕」に記載の本発明によれば、可動体に両端部間の距離を縮ませる動作を円滑に行わせることができる。また、可動体から遊技球に与えられる衝撃を低減することができる。さらに、可動体の姿勢を山形または谷形を成す姿勢に安定させることができる。
【発明の効果】
【００１５】
本発明によれば、前述のように大入賞口への遊技球の入賞を阻止したり許可したりするための可動体と、透明窓との間に遊技球が挟まらないようにすることができる。したがって、遊技者に与えられるべき大入賞口への遊技球の入賞の機会が不完全になることを防止できる。
【図面の簡単な説明】
【００１６】
【図１】本発明の第１実施形態に係るパチンコ機を、このパチンコ機の左前斜め上方から見た状態の斜視図である。
【図２】図１に示したパチンコ機のガラス扉を開いた状態の斜視図である。
【図３】図２に示した遊技領域下部の拡大図である。
【図４】第１実施形態に係るパチンコ機に備えられた大入賞口装置を簡略化して示す図である。
【図５】図４に示した前面視における可動体の左端部を大入賞口の左側方において支持する支持手段の拡大斜視図である。
【図６】第２実施形態に係る大入賞口装置の拡大斜視図である。
【図７】第３実施形態に係る大入賞口装置の拡大斜視図である。
【発明を実施するための形態】
【００１７】
本発明の第１〜第３実施形態について説明する。ここでは、パチンコ機の各部の左右方向を、パチンコ機の前面視、すなわち遊技者からパチンコ機を見たときの左右方向として説明する。
【００１８】
［第１実施形態］
第１実施形態について図１〜図５を用いて説明する。
【００１９】
図１に示すように、パチンコ機１は、遊技場の島設備に設置される長方形状の機枠２と、機枠２に対し扉状に開閉可能に取り付けられた前面枠３と、前面枠３に対し開閉可能に取り付けられたガラス扉４と、ガラス扉４の下方において前面枠３に扉状に開閉可能に設けられた前面ボード５とを備えている。前面ボード５には、遊技球を収容する受皿６と、遊技球の発射および発射強度を指令する発射ハンドル７が設けられている。
【００２０】
図２に示すように、前面枠３の内側には遊技盤１０が嵌め込まれている。この遊技盤１０は前面に遊技領域１１を有する。ガラス扉４には遊技領域１１全体が透過して見えるよう透明窓４ａ（ガラス窓）が設けられている。
【００２１】
遊技領域１１の略中央には、図柄を表示する表示部１２ａを含むセンター役物装置１２が設けられている。このセンター役物装置１２の下方には、始動入賞口を含む可動入賞装置１３（いわゆる電動チューリップ）が設けられている。この可動入賞装置１３の下方には大入賞口装置２０が設けられている。
【００２２】
図３に示すように、大入賞口装置２０は、遊技領域１１内において前方に向かって開口した大入賞口２１と、遊技盤１０と透明窓４ａの間に位置する可動体２２とを備えている。可動体２２は、第１板部材２３と、第２板部材２４と、これら第１板部材２３および第２板部材２４を結合しているヒンジ部２５とを有し、そのヒンジ部２５において相反する２方向に屈曲自在になっている。ヒンジ部２５側とは反対側に位置する第１板部材２３の端部は可動体２２の左端部２２ａであり、ヒンジ部２５側とは反対側に位置する第２板部材２４の端部は可動体２２の右端部２２ｂである。可動体２２の左端部２２ａおよび右端部２２ｂは、大入賞口２１の左右両側方において支持されている。ヒンジ部２５の軸線は、遊技盤１０に直交する方向に延びて位置する。
【００２３】
可動体２２の左端部２２ａおよび右端部２２ｂはいずれも遊技盤１０に対し回動自在に支持されている。可動体２２の左端部２２ａは、遊技盤１０に対して左右方向にスライド自在に支持されてもいる。可動体２２の左端部２２ａを回動自在かつスライド自在に支持しているのは、図４に示す支持手段３０であり、この支持手段３０は遊技盤１０の背面側に設けられている。
【００２４】
図５に示すように、支持手段３０は、遊技盤１０の背面側に固定されたベース部３１を有する。このベース部３１には、左右方向に延びたガイド溝３２が形成されている。このガイド溝３２内にはスライド部材３３が位置する。このスライド部材３３はガイド溝３２内において左右方向にスライド自在な状態であり、上下方向の移動が略阻止された状態である。スライド部材３３には前後方向に貫通した軸孔３４が形成されている。この軸孔３４には、可動体２２の左端部２２ａから延びた軸棒３５が回動可能に挿入されている。スライド部材３３の左右方向のスライド動作には、軸棒３５の左右方向の移動も伴う。図３に示すように、遊技盤１０には左右方向に長い長孔１０ａが形成されていて、軸棒３５が左右方向の移動を許容された状態で挿通されている。
【００２５】
図５に示すように、スライド部材３３とガイド溝３２の左端の内壁面３２ａとの間には、可動体２２の左端部２２ａを左方向および右方向のうち大入賞口２１に近づく方向である右方向に付勢する付勢手段としてのコイルスプリング５０が配置されている。このコイルスプリング５０の左端は内壁面３２ａに固定されていて、コイルスプリング５０の右端はスライド部材３３に固定されている。
【００２６】
図４に示すように、可動体２２の右端部２２ｂは電動モータ４０の出力軸４１に、この出力軸４１に対し回転不能に結合している。
【００２７】
可動体２２の初期姿勢は、図４に実線で示すように上方向に屈曲して山形を成した姿勢に設定されている。この初期姿勢を成した可動体２２は、大入賞口２１の上方において大入賞口２１の上方から大入賞口２１への遊技球の入賞を阻止する。
【００２８】
電動モータ４０は、出力軸４１の回転角度は、予め設定された初期角度と作動角度とに制御される。パチンコ機１の通常ゲーム時、出力軸４１が初期角度に保持され、大当り発生時に出力軸４１が作動角度まで回動されるよう設定されている。出力軸４１が初期角度のときに可動体２２は初期姿勢を成す。
【００２９】
また、出力軸４１が作動角度まで回動したときに可動体２２は作動姿勢を成す。この作動姿勢は、図４に２点鎖線で示すように下方向に屈曲して谷形を成す姿勢である。この作動姿勢のとき、可動体２２は大入賞口２１の前方の下側の領域において、可動体２２から上方の位置においての大入賞口２１への遊技球の入賞を許可するとともに、遊技球を受け止めて大入賞口２１に誘導する。
【００３０】
作動姿勢において、可動体２２のヒンジ部２５およびその近傍の部分、すなわち谷形の底部は、大入賞口２１の下縁２１ａよりも高く位置するよう設定されている。これにより、大入賞口２１の下縁２１ａが可動体２２から大入賞口２１への遊技球の移動の障害になることが防止される。
【００３１】
前出のコイルスプリング５０は、可動体２２が初期姿勢を成した状態、および作動姿勢を成した状態の両方において、自然長になるよう設定されている。
【００３２】
大入賞口装置２０は次の「（１）」，「（２）」のように動作する。
【００３３】
（１）  可動体２２の初期姿勢から作動姿勢への動作時
はじめに、電動モータ４０の出力軸４１の回転角度が初期角度に保持されていることにより、可動体２２は初期姿勢を成している。この状態において電動モータ４０の出力軸４１が反時計回りのトルクを出力し、このトルクが第２板部材２４を介してヒンジ部２５に下方向に作用する。これに伴い、支持手段３０においては、まず、可動体２２の左端部２２ａがスライド部材３３に対し時計回りに回動し、かつ、スライド部材３３をコイルスプリング５０の弾性力に抗して左方向に押し動かしながら、可動体２２の右端部２２ｂから遠ざかる。この結果、可動体２２の成している山形が徐々に緩やかになっていき、左端部２２ａが右端部２２ｂから最も遠ざかったときに可動体２２は直線状になる。
【００３４】
その後、左端部２２ａはスライド部材３３に対する時計回りの回動を継続し、かつ、スライド部材３３とともにコイルスプリング５０により右方向に押されながら右方向に移動して、右端部２２ｂに近づく。この結果、可動体２２は下方向に屈曲して谷形を成し、その谷形を徐々に鋭くしていき、その左端部２２ａが右端部２２ｂに最も近づいたときに作動姿勢（図４に２点鎖線で示す谷形の姿勢）を成す。
【００３５】
（２）  可動体２２の作動姿勢から初期姿勢への動作時
はじめに、電動モータ４０の出力軸４１の回転角度が作動角度に保持されていることによって、可動体２２は作動姿勢を成している。この状態において電動モータ４０の出力軸４１が時計回りのトルクを出力し、このトルクが第２板部材２４を介してヒンジ部２５に上方向に作用する。これに伴い、支持手段３０においては、まず、可動体２２の左端部２２ａがスライド部材３３に対し反時計回りに回動し、かつ、スライド部材３３をコイルスプリング５０の弾性力に抗して右方向に押し動かしながら、可動体２２の右端部２２ｂから遠ざかる。この結果、可動体２２の成す谷形が徐々に緩やかになっていき、左端部２２ａが右端部２２ｂから最も遠ざかったときに可動体２２は直線状になる。
【００３６】
その後、左端部２２ａはスライド部材３３に対する反時計回りの回動を継続し、かつ、スライド部材３３とともにコイルスプリング５０により右方向に押されながら右方向に移動して、右端部２２ｂに近づく。この結果、可動体２２は上方向に屈曲して山形を成し、その山形を徐々に鋭くしていき、その左端部２２ａが右端部２２ｂに最も近づいたときに初期姿勢（図４に実線で示す山形の姿勢）に戻る。
【００３７】
第１実施形態によれば次の効果を得られる。
【００３８】
第１実施形態において、可動体２２は遊技盤１０と透明窓４ａとの間で上下方向に屈曲することによって大入賞口２１への遊技球の入賞を阻止したり許可したりするので、可動体２２が大入賞口２１への遊技球の入賞を許可する方向に動作しても、可動体２２と透明窓４ａとの間隔が変化しない。つまり、可動体２２と透明窓４ａとの間に遊技球が挟まらない。したがって、遊技者に与えられるべき大入賞口への入賞の機会が不十分になることを防止できる。
【００３９】
第１実施形態によれば、コイルスプリング５０が可動体２２の左端部２２ａを大入賞口２１方向（右）に付勢するので、可動体２２に左端部２２ａと右端部２２ｂとの間の距離を縮ませる動作を円滑に行わせることができる。また、遊技球との接触により可動体２２に与えられる衝撃を低減することができる。さらに、可動体２２の姿勢を初期姿勢および作動姿勢に安定させることができる。
【００４０】
なお、前述の第１実施形態において、可動体２２の初期姿勢は、前面視において大入賞口２１と可動体２２が重ならない位置である大入賞口２１の上方において、大入賞口２１への遊技球の入賞を阻止するよう設定されていたが、前面視において大入賞口２１と可動体２２が一部重なる大入賞口２１の前方の上側の領域において、大入賞口２１への遊技球の入賞を阻止するよう設定されていてもよい。
【００４１】
［第２実施形態］
第２実施形態について図６を用いて説明する。この図６に示すもののうち、図４に示すものと同等のものに対しては、図４に示すものと同じ符号を使用した。
【００４２】
図６に示すように、第２実施形態における大入賞口装置６０は、第１実施形態における大入賞口装置２０にシャッター６１が付加されたものである。
【００４３】
シャッター６１の上部と可動体２２のヒンジ部２５とは、ヒンジ部２５と同軸周りの相対的回動が自在な状態で結合している。これにより、シャッター６１は、大入賞口２１の後方においてヒンジ部２５と一体的に上下方向に平行移動するようになっている。
【００４４】
大入賞口２１の上縁２１ｂには上方向に凹んだ逃げ部６２が形成されている。可動体２２が初期姿勢（図５に実線で示す山形の姿勢）を成した状態において、ヒンジ部２５とシャッター６１との結合部６３は、その逃げ部６２内に位置する。
【００４５】
可動体２２が初期姿勢を成したときにシャッター６１は大入賞口２１を後方から塞ぐ。可動体２２が作動姿勢（図５に２点鎖線で示す谷形の姿勢）を成したときに、シャッター６１は大入賞口２１の後方下側に位置して大入賞口２１を開放する。
【００４６】
第２実施形態によれば、可動体２２が作動姿勢を成した状態においてシャッター６１が大入賞口２１を塞ぐので、通常ゲーム時に遊技球が大入賞口２１に入ることを確実に防止できる。
【００４７】
［第３実施形態］
第３実施形態について図７を用いて説明する。この図７に示すもののうち、図４に示すものと同等のものに対しては、図４に示すものと同じ符号を使用した。
【００４８】
図７に示すように、第３実施形態における大入賞口装置７０は、可動体２２の駆動手段として、第１実施形態における電動モータ４０の替わりにソレノイド７１を有する。このソレノイド７１の作動方式は、プランジャー７３をソレノイドケース７２内に引き入れるプル方式である。ソレノイド７１は、プランジャー７３がソレノイドケース７２の上端から突出した姿勢で、大入賞口２１の後方に設けられている。可動体２２のヒンジ部２５とプランジャー７３の上端部とは、ヒンジ部２５と同軸周りの相対的回動が自在な状態で結合している。
【００４９】
大入賞口２１の上縁２１ｂには上方向に凹んだ逃げ部７４が形成されている。可動体２２が初期姿勢（図７に実線で示す山形の姿勢）を成した状態において、ヒンジ部２５とプランジャー７３との結合部７５は、その逃げ部７４内に位置する。
【００５０】
可動体２２の右端部２２ｂは、左端部２２ａと同じく支持手段３０により支持されている。この右側の支持手段３０において、コイルスプリング５０はスライド部材３３とガイド溝３２の右端の内壁面との間に配置されている。このコイルスプリング５０は、可動体２２の左端部２２ａを、左方向および右方向のうち大入賞口２１に近づく方向である右方向に付勢する。
【００５１】
プランジャー７３は、ソレノイドケース７２からの突出量が最大になる初期位置（図７において上側に示す位置）と、ソレノイドケース７２からの突出量が最小になる作動位置（図７において下側に示す位置）とに制御される。パチンコ機は、通常ゲーム時にプランジャー７３を初期位置に保持し、大当り発生時に作動位置まで移動させるよう設定されている。可動体２２は、プランジャー７３が初期位置あるときに初期姿勢を成し、プランジャー７３が作動位置にあるときに作動姿勢（図７に２点鎖線で示す谷形の姿勢）を成す。
【００５２】
大入賞口装置７０は次の「（１）」，「（２）」のように動作する。
【００５３】
（１）  可動体２２の初期姿勢から作動姿勢への動作時
はじめに、ソレノイド７１においてプランジャー７３が初期位置に保持されていることによって、可動体２２は初期姿勢を成している。この状態においてソレノイド７１が励磁され、これによりプランジャー７３に初期位置から作動位置に向かう方向（下方向）の力が作用し、この結果、プランジャー７３から可動体２２のヒンジ部２５に下方向の力が作用する。これに伴い、左側の支持手段３０においては、まず、可動体２２の左端部２２ａがスライド部材３３に対し時計回りに回動し、かつ、スライド部材３３をコイルスプリング５０の弾性力に抗して左方向に押し動かしながら、可動体２２の右端部２２ｂから遠ざかる。この左側の支持手段３０の動作と並行して、右側の支持手段３０においては、まず、可動体２２の右端部２２ｂがスライド部材３３に対し反時計回りに回動し、かつ、スライド部材３３をコイルスプリング５０の弾性力に抗して右方向に押し動かしながら、可動体２２の左端部２２ａから遠ざかる。これら左側の支持手段３０および右側の支持手段３０の両方の動作により、可動体２２の成す山形が徐々に緩やかになっていき、左端部２２ａと右端部２２ｂとの間の距離が最も長くなったときに可動体２２は直線状になる。
【００５４】
その後、左側の支持手段３０において、左端部２２ａはスライド部材３３に対する時計回りの回動を継続し、かつ、スライド部材３３とともにコイルスプリング５０により右方向に押されながら右方向に移動して、右端部２２ｂに近づく。これと並行して、右側の支持手段３０において、右端部２２ｂはスライド部材３３に対し反時計回りに回動し、かつ、スライド部材３３とともにコイルスプリング５０により左方向に押されながら左方向に移動して、左端部２２ａに近づく。これらの結果、可動体２２は下方向に屈曲して谷形を成し、その谷形を徐々に鋭くしていき、左端部２２ａと右端部２２ｂとの間の距離が最も短くなったときに作動姿勢を成す。
【００５５】
（２）  可動体２２の作動姿勢から初期姿勢への動作時
はじめに、ソレノイド７１のプランジャー７３が作動状態に保持されていることよって、可動体２２が作動姿勢を成している。この状態においてソレノイド７１の励磁が解かれ、これによりプランジャー７３に作動位置から初期位置に向かう方向すなわち上方向の力が作用し、この結果、プランジャー７３から可動体２２のヒンジ部２５に上方向の力が作用する。これに伴い、左側の支持手段３０においては、まず、可動体２２の左端部２２ａがスライド部材３３に対し反時計回りに回動し、かつ、スライド部材３３をコイルスプリング５０の弾性力に抗して左方向に押し動かしながら、可動体２２の右端部２２ｂから遠ざかる。この左側の支持手段３０の動作と並行して、右側の支持手段３０においては、まず、可動体２２の右端部２２ｂがスライド部材３３に対し時計回りに回動し、かつ、スライド部材３３をコイルスプリング５０の弾性力に抗して右方向に押し動かしながら、可動体２２の左端部２２ａから遠ざかる。これら左側の支持手段３０および右側の支持手段３０の両方の動作により、可動体２２の成す谷形が徐々に緩やかになっていき、左端部２２ａと右端部２２ｂとの間の距離が最も長くなったときに可動体２２は直線状になる。
【００５６】
その後、左側の支持手段３０において、左端部２２ａはスライド部材３３に対する反時計回りの回動を継続し、かつ、スライド部材３３とともにコイルスプリング５０により右方向に押されながら右方向に移動し、右端部２２ｂに近づく。これと並行して、右側の支持手段３０において、右端部２２ｂはスライド部材３３に対する時計回りの回動を継続し、かつ、スライド部材３３とともにコイルスプリング５０により左方向に押されながら左方向に移動し、左端部２２ａに近づく。これらの結果、可動体２２は上方向に屈曲して山形を成し、この山形を徐々に鋭くしていき、その左端部２２ａと右端部２２ｂとの間の距離が最も短くなったときに初期姿勢に戻る。
【００５７】
第３実施形態によっても第１実施形態と同様の効果を得られる。
【００５８】
なお、可動体２２のヒンジ部２５とプランジャー７３との間に、第２実施形態のようにシャッター６１が設けられていてもよい。これにより、可動体２２が初期姿勢を成した状態において大入賞口２１に遊技球が入賞するのを確実に防止できるだけでなく、ソレノイド７１を遊技者に対して目隠しできる。
【符号の説明】
【００５９】
１  パチンコ機
２  機枠
３  前面枠
４  ガラス扉
４ａ  透明窓
５  前面ボード
６  受皿
７  発射ハンドル
１０  遊技盤
１０ａ  長孔
１１  遊技領域
１２  センター役物装置
１２ａ  表示部
１３  可動入賞装置
２０  大入賞口装置
２１  大入賞口
２１ａ  下縁
２１ｂ  上縁
２２  可動体
２２ａ  左端部（一端部）
２２ｂ  右端部（他端部）
２３  第１板部材
２４  第２板部材
２５  ヒンジ部
３０  支持手段
３１  ベース部
３２  ガイド溝
３２ａ  内壁面
３３  スライド部材
３４  軸孔
３５  軸棒
４０  電動モータ
４１  出力軸
５０  コイルスプリング（付勢手段）
６０  大入賞口装置
６１  シャッター
６２  逃げ部
６３  結合部
７０  大入賞口装置
７１  ソレノイド
７２  ソレノイドケース
７３  プランジャー
７４  逃げ部
７５  結合部
【図１】
2010227497.tif 000003
【図２】
2010227497.tif 000004
【図３】
2010227497.tif 000005
【図４】
2010227497.tif 000006
【図５】
2010227497.tif 000007
【図６】
2010227497.tif 000008
【図７】
2010227497.tif 000009